(57)【要約】  【課題】    欠け、割れ、主としてボディへの取り付け部分乃至その近傍における欠け、割れの生じるおそれの少ない自動車用エアロパーツ、例えばバンパー等を低価格で提供する。  【解決手段】自動車用エアロパーツ(バンパー）３を、例えばＦＲＰからなる表側部材４と裏側部材５とを積層した部分と、該表側部材４と裏側部材５と例えばカーボンからなる補強部材６とを積層した補強部分とで構成する。  【効果】    補強部材６による補強効果により割れ、欠けを生じにくくすることができる。そして、自動車用エアロパーツの補強をしない部分は従来通り表側部材４と裏側部材５とを積層した部分で構成し、局部的に補強部材６を用いて必要な補強をするので、自動車用エアロパーツ３を徒に高価格化することなく、割れ、欠けを生じにくくすることができる。【選択図】        図１ 
2005082089.tif 000002
【特許請求の範囲】
【請求項１】
表側部材と裏側部材とを積層した部分と、
上記表側部材と上記裏側部材と補強部材とを積層した補強部分と、
を有することを特徴とする自動車用エアロパーツ。
【請求項２】
前記表側部材及び前記裏側部材がＦＲＰ（Fiber Reinforced Plastic）からなり、
前記補強部材がカーボンからなる
ことを特徴とする請求項１記載の自動車用エアロパーツ。
【発明の詳細な説明】
【技術分野】
【０００１】
本発明は、例えばバンパー或いはサイドステップ等の自動車用エアロパーツに関する。
【背景技術】
【０００２】
バンパー等の自動車用エアロパーツは、使用される材質には種々のものがあるが、比較的多いのが、ＦＲＰ（Fiber Reinforced Plastic）であり、一般にシート状の表側部材に同じくシート状の裏側部材を積層してなる。図２はそのような自動車用エアロパーツの一部を示す断面図である。同図において、ａはボディ(車体)側の鉄板、ｂは該鉄板ａに形成されたネジ孔、ｃは自動車用エアロパーツ、例えばバンパーで、シート状の表側部材ｄと、シート状の裏側部材ｅとを例えば接着により積層してなる。ｆは該自動車用エアロパーツｃに形成されたネジ挿通孔(バカ孔)、ｇは自動車用エアロパーツｃを上記鉄板ａに取り付けるネジ、ｈはワッシャであり、該ワッシャｈに通されたネジｇは上記ネジ挿通孔ｆに通され、ボディ側の鉄板ａのネジ孔ｂに螺合され、自動車用エアロパーツｃをその鉄板ａに固定する。
【０００３】
また、カーボンと称される材料を用いたものもある。これは、グラファイト微結晶の集合体からなる炭素繊維をエポキシ樹脂等で固めたものである〔月刊トレンドワゴンＴＲＥＮＤ  ＷＡＧＯＮ(アポロ出版株式会社）２００３年５月号(以下「トレンドワゴン５月号」という。）の８５頁参照〕。
【０００４】
上記ＦＲＰからなる自動車用エアロパーツは、色々の長所を有するが、特に非常に材料費が安く(バンパーを例に採ると数万円で購入することができる。）、また、加工し易く、素人でも加工できる（尚、加工方法はトレンドワゴン５月号の９４〜９５頁に紹介されている。）という点が最大の長所であるといえる。
それに対して、カーボンは、極めて性能が良いが、材料費が高く(バンパーを例に採ると購入価格が数十万円にもなる）、更に、加工が難しいという大きな欠点を有している。
【０００５】
従って、特に高級志向ではなく、自動車にかけるお金に制約の強い人は、ＦＲＰの自動車用エアロパーツを選び、高級志向で、経済的に恵まれている人はカーボンを選ぶ傾向があった。
【非特許文献１】月刊トレンドワゴンＴＲＥＮＤ  ＷＡＧＯＮ(アポロ出版株式会社）２００３年５月号(：トレンドワゴン５月号）８５頁、９４〜９５頁
【発明の開示】
【発明が解決しようとする課題】
【０００６】
上述したように、経済的に大きな余裕のない人は、自動車用エアロパーツとして材料費が安く加工が容易である等の利点のあるＦＲＰによるものを選ぶ傾向が強かったが、このＦＲＰによる自動車用エアロパーツには、下記のような看過できない問題があった。
それは、ＦＲＰは硬度が高く柔軟性が低いため、ＦＲＰからなる例えばバンパー等をつけた自動車のそのバンパー等に何かがぶつかった場合、比較的小さな衝撃でも欠けたり、割れたりし易いという問題である。
【０００７】
特に、自動車用エアロパーツのネジ等による或いはカシメによるボディへの取り付け部分乃至その近傍でそのような欠け、割れが生じ易かった。というのは、例えばバンパー等の自動車用エアロパーツの、自動車のボディへの取り付けは、例えばネジによる場合、自動車用エアロパーツの縁の直ぐ近くにて孔(バカ孔)を開けておくと共に、ボディ側にネジ孔を形成しておき、自動車用エアロパーツ側からその孔にネジを通しそのネジの先端部をボディ側のネジ孔に螺合させることにより行われ(ワッシャが用いられることもある）、その自動車用エアロパーツの孔の形成位置は、美観等の点から自動車用エアロパーツの縁の近くが多く、その結果、強度不足になるきらいがあるからである。カシメによる場合でも同様である。
【０００８】
そのため、高速道路の路面に自動車用エアロパーツのＦＲＰによる欠片が落ち、その落ちた欠片によりオートバイ(バイク)が転倒し、事故が起きた例が少なくなかった。
従って、ＦＲＰの硬度が高く柔軟性が低いということがそれを使用した自動車用エアロパーツにとって看過できない問題になったいたのである。
それに対して、カーボン製の自動車用エアロパーツによれば、柔軟性があるので、そのような欠け、割れが生じ易いという問題はない。しかし、上述したように、カーボン製自動車用エアロパーツの場合材料費が極めて高いので、経済的余裕の少ない人にその購入を要求、強制することは酷である。
【０００９】
本発明はそのような問題を解決するためのもので、欠け、割れ、主としてボディへの取り付け部分乃至その近傍における欠け、割れの生じるおそれの少ない自動車用エアロパーツを低価格で提供できるようにすることを目的とする。
【課題を解決するための手段】
【００１０】
請求項１の自動車用エアロパーツは、表側部材と裏側部材とを積層した部分と、該表側部材と裏側部材と補強部材とを積層した補強部分と、を有することを特徴とする。
請求項２の自動車用エアロパーツは、請求項１記載の自動車用エアロパーツにおいて、上記表側部材及び上記裏側部材がＦＲＰからなり、前記補強部材がカーボンからなることを特徴とする。
【発明の効果】
【００１１】
請求項１の自動車用エアロパーツによれば、自動車用エアロパーツ全体を表側部材と裏側部材とを積層した部分で構成するのではなく、割れ、欠けの生じ易い部分の表側部材と裏側部材に更に補強部材を積層して補強したので、その補強効果により割れ、欠けを生じにくくすることができる。
そして、自動車用エアロパーツの補強をしない部分は従来通り表側部材と裏側部材とを積層した部分で構成し、局部的に補強部材を用いて必要な補強をするので、自動車用エアロパーツを徒に高価格化することなく、割れ、欠けを生じにくくすることができる。
【発明を実施するための最良の形態】
【００１２】
本発明は、基本的には、表側部材と裏側部材とを積層し、欠け、割れの生じるおそれのある部分に更に補強部材を積層してなるものであり、補強部材の積層には、表側部材と裏側部材との間に介在させる態様と、表側部材の反裏側部材側の積層する態様と、裏側部材とボディとの間に(裏側部材の反表側部材側）に積層する態様があり、後述する実施例１の自動車用エアロパーツは補強部材を表側部材と裏側部材との間に介在させる態様を採っているが、必ずしもそれに限定されるものではなく、そのいずれの態様を採っても良い。
【００１３】
そして、表側部材と裏側部材は、材料費が安価で、加工がし易い等の点で、ＦＲＰが最適であるが、必ずしもそれ等に限定されず、例えばウレタン等比較的安価な材料を用いても良い。
補強部材は、カーボンが最適といえるが、柔軟性に優れ機械的強度の強いものであれば、必ずしもそれに限定されるわけではない。
【実施例１】
【００１４】
以下、本発明の詳細を図示実施例１に基いて説明する。
図１は本発明自動車用エアロパーツの一つの実施例１の一部を示す断面図である。同図において、１はボディ(車体)側の鉄板、２は該鉄板１に形成されたネジ孔、３は自動車用エアロパーツ、例えばバンパー、４は該バンパー３を構成するシート状の表側部材と、５は同じくシート状の裏側部材で、該表側部材４と裏側部材５は共にＦＲＰからなる。
【００１５】
６はシート状の補強部材で、カーボンからなる。具体的には、グラファイト微結晶の集合体からなる炭素繊維をエポキシ樹脂等で固めたものである。該補強部材６は、バンパー３の補強を要する部分、具体的には、バンパー３のネジによるボディ１への取り付け部分において上記表側部材４と裏側部材５との間に介在せしめられている。そして、その補強を要する部分において表側部材４、補強部材６及び裏側部材５が接着により積層されており、他の部分において表側部材４と裏側部材５のみが積層されている。
【００１６】
７は該バンパー３に、より詳細には、表側部材４、補強部材６及び裏側部材５に形成されたネジ挿通孔(バカ孔)、８は該バンパー３を上記鉄板１に取り付けるネジ、９はワッシャであり、該ワッシャ９に通されたネジ８は上記ネジ挿通孔７に通され、ボディ側の鉄板１のネジ孔２に螺合され、バンパー３をその鉄板１に固定する。
【００１７】
このような自動車用エアロパーツ３によれば、自動車用エアロパーツ全体を表側部材４と裏側部材５とを積層した部分で構成するのではなく、割れ、欠けの生じ易い部分の表側部材４と裏側部材５に更に補強部材６を積層して補強したので、その補強効果により割れ、欠けを生じにくくすることができる。
そして、自動車用エアロパーツ３の補強をしない部分は従来通り表側部材４と裏側部材５とを積層した部分で構成し、局部的に補強部材６を用いて必要な補強をするので、自動車用エアロパーツ３を徒に高価格化することなく、割れ、欠けを生じにくくすることができる。
【産業上の利用可能性】
【００１８】
本発明は、例えばバンパーに限らず、サイドステップ等の自動車用自動車用エアロパーツ全般に利用可能性がある。
【図面の簡単な説明】
【００１９】
【図１】本発明自動車用エアロパーツの第１の実施例の一部を示す断面図である。
【図２】従来例を示す断面図である。
【符号の説明】
【００２０】
１・・・ボディ(車体)、２・・・ネジ孔、３・・・自動車用エアロパーツ(バンパー）、  ４・・・表側部材、５・・・裏側部材、６・・・補強部材、７・・・ネジ挿通孔、
８・・・ネジ。
【図１】
2005082089.tif 000003
【図２】
2005082089.tif 000004